(57)【特許請求の範囲】
【請求項１】
容器本体に上蓋を開閉自在に取り付け、化粧料を収納できる凹部を容器本体内に形成し、この凹部に収納した化粧料の上面にメッシュ部材を載置し、このメッシュ部材をパフで押圧して化粧料をメッシュ部材の表面に透過させる化粧料容器において、
メッシュ部材はメッシュ枠体にメッシュを張設して構成し、このメッシュ枠体に前記凹部の内周壁をシールする弾性変形可能なリップ部材を取り付け、前記上蓋の内側には弾性変形可能な押付け部材を取り付け、
前記メッシュ部材上面に載置したパフをつぶすことなく、化粧料満量時から、化粧料少量時に至るまで常に前記押付け部材とリップ部材とでパフを挟持可能にしたことを特徴とする化粧料容器。
【請求項２】
前記押付け部材は、上蓋の内側に取り付けた複数の落下防止爪と、これらの落下防止爪に係止可能な爪を備えた押付けプレートと、この押付けプレートと上蓋との間に配置した板ばねとからなることを特徴とした請求項１記載の化粧料容器。
【請求項３】
前記押付け部材は、上蓋の内側に取り付けた複数の落下防止爪と、これらの落下防止爪に係止可能な受爪を備えた押付けプレートと、この押付けプレートと上蓋との間に配置したコイルばねとからなることを特徴とした請求項１記載の化粧料容器。
【請求項４】
前記押付け部材は、中央部を上蓋から浮かせ、両端部をテーパー状に折り曲げて上蓋の内側にスライド可能に取り付けた板ばねで構成したことを特徴とする請求項１記載の化粧料容器。
【請求項５】
前記押付け部材は、上蓋の内側に貼り付けた弾性体と、この弾性体に貼り付けた押付けプレートとからなることを特徴とした請求項１記載の化粧料容器。
【請求項６】
前記押付け部材は、上蓋の内側に貼り付けた環状の弾性体で構成したことを特徴とする請求項１記載の化粧料容器。
【発明の詳細な説明】
【０００１】
【発明の属する技術分野】
本発明は化粧料を収納する化粧料容器に係り、さらに詳しくは化粧料が容器の外に漏れ出ないように構成した化粧料容器に関する。
【０００２】
【従来の技術】
図１４は、従来の化粧料容器の断面図である。
主としてファンデーションのような化粧料を収納するコンパクト等の化粧料容器は、粉末状やペースト状の化粧料１００を収納した中皿１０１と、中皿１０１内に配設したメッシュ部材１０２を備えており、このメッシュ部材１０２は、リング状の枠体１０２ａ内にメッシュ１０２ｂを張設したものであり、化粧料１００の表面に載置される状態で収められている。
【０００３】
このメッシュ部材１０２においては、枠体１０２ａと中皿１０１の内周壁１０１ａとの間に隙間Ｓが存在し、メッシュ部材１０２は化粧料１００の表面に載っているだけなので、携帯時に化粧料容器が傾斜したり反転したりすると、中身の化粧料１００が隙間Ｓから漏れ出てしまうという問題があった。
【０００４】
また、化粧料１００を化粧料容器からパフで取り出そうとする際には、パフでメッシュ１０２ｂを押圧しながらメッシュ１０２ｂの表面側に化粧料１００を透過させることになるが、このとき、メッシュ部材１０２が下方に移動するため前記同様化粧料１００が隙間Ｓから漏れ出てしまうという問題があった。
この問題を解消するために、メッシュ部材のメッシュ枠体をシール材に取り替えたメッシュ部材が提案されている（特公平６−１０９０２号公報）。
【０００５】
【発明が解決しようとする課題】
しかし、上記の特公平６−１０９０２号公報に開示されたメッシュ部材は、メッシュ枠体そのものを柔らかい弾性部材で構成するものであるため、メッシュを押圧するとメッシュの緊張状態が弛んで、その緊張状態を保持することができなくなる。
【０００６】
すなわち、シール部材を兼ねたメッシュ部材が撓んでしまい、メッシュ部材が容器本体の内周壁に均一に接触できなくなり、結果的にシール部材で容器本体の内周壁を均一にシールすることができなくなる。このことは、メッシュを押圧しない状態下においても同様に不具合になっていた。
【０００７】
また、化粧料の使用にともない、メッシュ部材が中皿の底部側に下がってくると、メッシュ部材と化粧料容器の上蓋との間隔が大きくなる。このため、メッシュ部材と化粧料容器の上蓋との間に載置してあるパフも下動して、パフでメッシュ部材を押さえ付けることができなくなる。したがって、携帯時などにメッシュ部材及びパフがガタつき、シール部材と容器本体の内周壁との隙間、あるいはシール部材とパフとの隙間から化粧料が漏れ出すという問題があった。
【０００８】
さらに、上記のものは化粧料が少なくなった時のガタつきをなくすことを考慮して、化粧料満量時に上蓋とメッシュ部材間でパフを強く押えつけてパフをつぶした状態にしておき、この状態で化粧料が減少した際には、この押えつけられていたパフが復元して、化粧料満量時と同様にパフとメッシュ部材のガタつきを防止していた。
しかしながら、パフをつぶすということは、パフの変形や毛足のつぶれを招くため、パフに与えるダメージが大きいという問題があった。
【０００９】
この発明は、このような化粧料の漏れを防止し、また適用の化粧料を容易に取出せるようにした化粧料容器を提供して、上述の問題点を解消しようとするものである。
【００１０】
【課題を解決するための手段】
本発明の上記目的は、容器本体に上蓋を開閉自在に取り付け、化粧料を収納できる凹部を容器本体内に形成し、この凹部に収納した化粧料の上面にメッシュ部材を載置し、このメッシュ部材をパフで押圧して化粧料をメッシュ部材の表面に透過させる化粧料容器において、
メッシュ部材はメッシュ枠体にメッシュを張設して構成し、このメッシュ枠体に前記凹部の内周壁をシールする弾性変形可能なリップ部材を取り付け、前記上蓋の内側には弾性変形可能な押付け部材を取り付け、
前記メッシュ部材上面に載置したパフをつぶすことなく、化粧料満量時から、化粧料少量時に至るまで常に前記押付け部材とリップ部材とでパフを挟持可能にしたことを特徴とする。
【００１１】
上記した本発明に係る化粧料容器は、リップ部材を本体の内周壁に常時接触させることができる。したがって、化粧料容器を携帯した場合に、容器本体の内周壁とリップ部材との隙間から化粧料が漏れ出すことを防止できる。
【００１２】
メッシュの表面にパフを載せて上蓋を閉めると、押付け部材とリップ部材とで両側からパフを挟持するので、化粧料容器の厚さを大きく設定しても、パフを確実に固定することができる。この結果、化粧料の充填量を増やすことができる。
また、押付け部材とリップ部材とでパフを両側から圧接するので、リップ部材の厚さを増さなくても、パフを確実に固定することができる。この結果、化粧料容器から化粧料を取り出すときに、リップ部材が邪魔になることはない。
さらに、リップ部材及び押付け部材はパフよりも弾性変形し易い形状であるため、リップ部材及び押付け部材がパフに与えるダメージは無い。
【００１３】
また、メッシュ枠体にメッシュを張設状態に取り付けることができるので、リップ部材が容器本体の内周壁の全周に適度の圧力で均一に接触することができ、メッシュをパフで押圧すると、メッシュ部材が容器本体の内周壁に沿ってスムーズに移動でき、適量の化粧料を容易に取り出すことが可能となる。
【００１４】
請求項２は、押付け部材を、上蓋の内側に取り付けた複数の落下防止爪と、これらの落下防止爪に係止可能な受爪を備えた押付けプレートと、この押付けプレートと上蓋との間に配置した板ばねとから構成することを特徴とした。
押付けプレートを使用することにより、この押付けプレートに鏡を取り付けることができる。したがって、化粧料容器の使い勝手が向上する。
【００１５】
請求項３は、押付け部材を、上蓋の内側に取り付けた複数の落下防止爪と、これらの落下防止爪に係止可能な受爪を備えた押付けプレートと、この押付けプレートと上蓋との間に配置したコイルばねとから構成することを特徴とした。
コイルばねを使用することにより、押付け部材の取り付けを容易にすることができる。また、押付けプレートにかけるばね力を容易に均一にできるので品質にバラツキがない。
【００１６】
請求項４は、押付け部材が、中央部を上蓋から浮かせ、両端部をテーパー状に折り曲げて上蓋の内側にスライド可能に取り付けた板ばねであることを特徴とする。
構成が簡素なのでコスト低減を図ることができる。
【００１７】
請求項５は、押付け部材を、上蓋の内側に貼り付けた弾性体と、この弾性体に貼り付けた押付けプレートとから構成したことを特徴とする。
上蓋の内側に弾性体を貼り付けて、この弾性体に押付けプレートを貼り付けるだけなので、構成を簡素にできコスト低減を図ることができる。また、押付けプレートにかけるばね力を均一にできるので品質にバラツキがない。
【００１８】
請求項６は、押付け部材が、上蓋の内側に貼り付けた環状の弾性体であることを特徴とする。
上蓋の内側に環状の弾性体を貼り付けるだけなので、構成を簡素にできコスト低減を図ることができる。
【００１９】
【発明の実施の形態】
以下、本発明の実施の形態を図面に基づいて説明する。
図１は本発明に係る化粧料容器（第１実施の態様）の斜視図である。
【００２０】
化粧料容器１は、容器本体２と、この容器本体２にピン４を介して転動自在に取り付けた上蓋５と、容器本体２の凹部３内に配置したメッシュ部材１０と、このメッシュ部材１０の上に載せるパフ１５と、前記上蓋５の内側に取り付けてパフ１５を押圧する押付け部材２０とからなる。
【００２１】
容器本体２は、ピン４の反対側に係止突起２ａを備え、その上蓋５には係止突起２ａに係合する係合爪５ａが備えられている（図２参照）。この係合爪５ａを係合突起２ａに係止することにより、上蓋５は、容器本体２にロック状態で閉じられることになる。
【００２２】
図２は本発明に係る化粧料容器（第１実施の形態）の縦断面図である。
メッシュ部材１０は、容器本体２の凹部３の化粧料１７の表面を覆うメッシュ１１と、メッシュ１１の周囲に取り付けられた適宜形状のメッシュ枠体１２と、このメッシュ枠体１２に取り付けられたスポンジである弾性体のリップ部材１３とからなる。リップ部材１３は、スポンジに限らず、不織布等その他の弾性体を使用してもよい。
【００２３】
メッシュ枠体１２とリップ部材１３とは、一般的にはリング状を呈するが、これに限らず四角形状等適宜の形状にすることも可能である。またメッシュ枠体１２は、通常は非弾性部材で形成される。
【００２４】
押付け部材２０は、上蓋５の内側に取り付けた内蓋２１と、この内蓋２１の内壁に沿って下向きに立設した複数の落下防止爪２２…と、この落下防止爪２２…に係止可能な受爪２３…を備えた押付けプレート２４と、この押付けプレート２４と内蓋２１との間に配置した板ばね２５…と、押付けプレート２４に貼り付けた鏡２６とからなる。板ばね２５については図３でさらに詳しく説明する。
【００２５】
図３は図２のＡ−Ａ線断面図である。
板ばね２５は、下端部２５ａを押付けプレート２４に接触させ、上端部２５ｂを内蓋２１に接触させたものである。これにより、図２に示すように、押付けプレート２４が下側に押し下げられて、落下防止爪２２…と受爪２３…とが係止して、押付けプレート２４が所定位置に静止する。なお、板ばね２５は鋼製ばねや樹脂性ばねを任意に選択することができる。
【００２６】
前記の如く構成した、本発明に係る化粧料容器（第１実施の形態）の作用を説明する。
図４は本発明に係る化粧料容器（第１実施の形態）から化粧料を取り出す状態を説明した図である。
先ず、化粧料１７を取り出す場合には、パフ１５でメッシュ１１を押圧して化粧料１７をメッシュ１１の表面に透過させる。このとき、メッシュ１１をパフ１５で押圧するので、メッシュ部材１０が容器本体３の凹部３の下方に移動するが、メッシュ枠体１２を弾性変形しない部材で形成したことにより、リップ部材１３は凹部３の内周壁３ａの全周に適度の圧力で均一に接触した状態で移動でき、リップ部材１３と凹部３の内周壁３ａとの間のシール性が確保される。
【００２７】
したがって、凹部３の内周壁３ａとリップ部材１３との隙間から、化粧料１７が外に漏れ出る心配は無い。
なお、符号１７ａはメッシュ１１の表面に透過した化粧料である。
【００２８】
図５は本発明に係る化粧料容器（第１実施の形態）を携帯する状態を説明した図である。
化粧料容器１を携帯する場合には、メッシュ部材１０の上面にパフ１５を載せ、上蓋５を閉じると、パフ１５はメッシュ部材１０と押付け部材２０とで挟持された状態で固定される。
【００２９】
すなわち、パフ１５はスポンジであるリップ部材１３と押付け部材２０の鏡２６とで両側から圧接される。したがって、化粧料容器１の厚さｔを大きく設定しても、パフ１５を確実に保持固定することができる。この結果、化粧料１７の充填量を増やすことができる。また、パフ１５を両側から圧接するので、リップ部材１３の厚さを増さなくても、パフ１５を確実に保持固定することができる。この結果、図４に示すように、化粧料容器１から化粧料１７を取り出すときに、リップ部材１３が邪魔になることはない。
【００３０】
ところで、使用者が化粧料を使用して化粧料が減少した場合には、その減少状態に応じてリップ部材１３のスポンジ層と押付け部材２０の板ばね２５とがそれぞれ復元して、パフ１５は常時リップ部材１３と押付け部材２０とで挟持された状態で保持固定される。このため、化粧料１７の漏れは無い。
また、リップ部材１３のスポンジ層は柔軟素材であり、かつ押付け部材２０は板ばね２５が弾性変形するのでパフ１５の変形を招来することも無い。
【００３１】
次に、第２実施の形態を説明する。
図６は本発明に係る化粧料容器（第２実施の形態）の縦断面図である。なお、第１実施の形態と同一部材については同一符号を付して説明を省略する。
化粧料容器３０の押付け部材３１は、上蓋５の内側に取り付けた内蓋２１と、この内蓋２１の内壁に沿って下向きに立設した複数の落下防止爪２２…と、この落下防止爪２２…に係止可能な受爪２３…を備えた押付けプレート３２と、この押付けプレート３２と内蓋２１との間に配置したコイルばね３３とからなる。
【００３２】
すなわち、押付け部材３１は、押付けプレート３２を下側に押付けるばねをコイルばね３３としたことを特徴とする。
コイルばね３３を使用することにより、第１実施の形態のように複数の板ばね２５…を取り付ける手間を省くことができる。また、押付けプレート３２にかけるばね力を容易に均一にできるので品質にバラツキがない。
【００３３】
図７は本発明に係る化粧料容器（第２実施の形態）を携帯する状態を説明した図である。
化粧料容器３０を携帯する場合には、メッシュ部材１０の上面にパフ１５を載せ、上蓋５を閉じると、パフ１５はメッシュ部材１０のリップ部材１３と押付け部材３１の押付けプレート３２とで挟持された状態で固定される。この結果、第１実施の形態と同様の効果を得ることができる。
【００３４】
次に、第３実施の形態を説明する。
図８は本発明に係る化粧料容器（第３実施の形態）の縦断面図である。なお、第１実施の形態と同一部材については同一符号を付して説明を省略する。
化粧料容器４０の押付け部材４１は、上蓋５の内側に取り付けた板ばねで構成される。
押付け部材４１は、中央部を上蓋５から浮かせ、その両端部４１ａ、４１ｂを上方にテーパー状に折り曲げたものであり、両端部４１ａ、４１ｂを上蓋５の内側にスライド可能に取り付けたことを特徴とする。
構成が簡素なのでコスト低減を図ることができる。
【００３５】
図９は本発明に係る化粧料容器（第３実施の形態）を携帯する状態を説明した図である。
化粧料容器４０を携帯する場合には、メッシュ部材１０の上面にパフ１５を載せ、上蓋５を閉じると、押付け部材４１の両端部４１ａ、４１ｂは上蓋５の内側に沿って外側に広がる方向に移動する。これにより、パフ１５はメッシュ部材１０のリップ部材１３と押付け部材４１とで挟持された状態で保持固定される。
この結果、第１実施の形態と同様の効果を得ることができる。
なお、押付け部材４１は、鋼製ばねや樹脂製ばねを任意に選択することができる。
【００３６】
次に、第４実施の形態を説明する。
図１０は本発明に係る化粧料容器（第４実施の形態）の縦断面図である。なお、第１実施の形態と同一部材については同一符号を付して説明を省略する。
化粧料容器５０の押付け部材５１は、上蓋５の内側に貼り付けたスポンジである弾性体５２と、この弾性体５２に貼り付けた押付けプレート５３とからなることを特徴とする。
【００３７】
上蓋５の内側に弾性体５２を貼り付けて、この弾性体５２に押付けプレート５３を貼り付けるだけなので、構成が簡素で製造が容易になりコスト低減を図ることができる。また、押付けプレート５３に付勢するばね力を均一にできるので、品質にバラツキがない。
【００３８】
図１１は本発明に係る化粧料容器（第４実施の形態）を携帯する状態を説明した図である。
化粧料容器５０を携帯する場合には、メッシュ部材１０の上面にパフ１５を載せ、上蓋５を閉じると、パフ１５はメッシュ部材１０のリップ部材１３と押付け部材５１の押付けプレート５３とで挟持された状態で保持固定される。この結果、第１実施の形態と同様の効果を得ることができる。
【００３９】
次に、第５実施の形態を説明する。
図１２は本発明に係る化粧料容器（第５実施の形態）の縦断面図である。なお、第１実施の形態と同一部材については同一符号を付して説明を省略する。
化粧料容器６０の押付け部材６１は、上蓋５の内側に貼り付けた環状のスポンジ等からなる弾性体であることを特徴とする。
上蓋５の内側に環状の弾性体からなる押付け部材６１を貼り付けるだけなので、構成が簡素で製造が容易になりコスト低減を図ることができる。
【００４０】
図１３は本発明に係る化粧料容器（第５実施の形態）を携帯する状態を説明した図である。
化粧料容器６０を携帯する場合には、メッシュ部材１０の上面にパフ１５を載せ、上蓋５を閉じると、パフ１５はメッシュ部材１０のリップ部材１３と環状の弾性体からなる押付け部材６１とで挟持された状態で固定される。この結果、第１実施の形態と同様の効果を得ることができる。
【００４１】
【発明の効果】
以上述べたように、請求項１による化粧料容器によれば、リップ部材を本体の内周壁に常時接触させることができる。したがって、化粧料容器を携帯した場合に、容器本体の内周壁とリップ部材との隙間から化粧料が漏れ出すことを防止できる。
【００４２】
メッシュの表面にパフを載せて上蓋を閉めると、押付け部材とリップ部材とで両側からパフを挟持するので、化粧料容器の厚さを大きく設定しても、パフを確実に保持固定することができる。
その結果、化粧料の充填量を増やすことができる。
【００４３】
また、押付け部材とリップ部材とでパフを両側から圧接するので、リップ部材の厚さを増さなくても、パフを確実に保持固定することができる。
その結果、化粧料容器から化粧料を取り出すときに、リップ部材が邪魔になることはない。
さらに、リップ部材及び押付け部材はパフよりも弾性変形し易い形状であるため、リップ部材及び押付け部材がパフに与えるダメージは無い。
【００４４】
また、メッシュ枠体にメッシュを張設状態に取り付けることができるので、リップ部材が容器本体の内周壁の全周に適度の圧力で均一に接触することができ、メッシュをパフで押圧すると、メッシュ部材が容器本体の内周壁に沿ってスムーズに移動でき、適量の化粧料を容易に取り出すことが可能となる。
【００４５】
請求項２は、押付けプレートを使用することにより、この押付けプレートに鏡を取り付けることができる。このため、化粧料容器の使い勝手が向上する。
【００４６】
請求項３は、コイルばねを使用することにより、押付け部材の取り付けを容易にすることができる。また、押付けプレートにかけるばね力を容易に均一にできるので品質にバラツキがない。
【００４７】
請求項４は、押付け部材を、中央部を上蓋から浮かせ、両端部をテーパー状に折り曲げて上蓋の内側にスライド可能に取り付けた板ばねとしたので、構成が簡素になりコスト低減を図ることができる。
【００４８】
請求項５は、上蓋の内側に弾性体を貼り付けて、この弾性体に押付けプレートを貼り付けるだけなので、構成を簡素にできコスト低減を図ることができる。
また、押付けプレートに付勢するばね力を均一にできるので品質にバラツキがない。
【００４９】
請求項６は、上蓋の内側に環状の弾性体を貼り付けるだけなので、構成を簡素にできコスト低減を図ることができる。
【図面の簡単な説明】
【図１】本発明に係る化粧料容器（第１実施の態様）の斜視図である。
【図２】本発明に係る化粧料容器（第１実施の形態）の縦断面図である。
【図３】図２のＡ−Ａ線断面図である。
【図４】本発明に係る化粧料容器（第１実施の形態）から化粧料を取り出す状態を説明した図である。
【図５】本発明に係る化粧料容器（第１実施の形態）を携帯する状態を説明した図である。
【図６】本発明に係る化粧料容器（第２実施の形態）の縦断面図である。
【図７】本発明に係る化粧料容器（第２実施の形態）を携帯する状態を説明した図である。
【図８】本発明に係る化粧料容器（第３実施の形態）の縦断面図である。
【図９】本発明に係る化粧料容器（第３実施の形態）を携帯する状態を説明した図である。
【図１０】本発明に係る化粧料容器（第４実施の形態）の縦断面図である。
【図１１】本発明に係る化粧料容器（第４実施の形態）を携帯する状態を説明した図である。
【図１２】本発明に係る化粧料容器（第５実施の形態）の縦断面図である。
【図１３】本発明に係る化粧料容器（第５実施の形態）を携帯する状態を説明した図である。
【図１４】従来の化粧料容器の断面図である。
【符号の説明】
１、３０、４０、５０、６０…化粧料容器
２…容器本体
３…凹部
４…ピン
５…上蓋
１０…メッシュ部材
１１…メッシュ
１２…メッシュ枠体
１３…リップ部材
１５…パフ
１７…化粧料
２０、３１、４１、５１、６１…押付け部材
２１…内蓋
２２…落下防止爪
２３…受爪
２４、３２、５３…押付けプレート
２５…板ばね
２６…鏡
３３…コイルばね
５２…弾性体
【図１】
0003732624.tif 000002
【図２】
0003732624.tif 000003
【図３】
0003732624.tif 000004
【図４】
0003732624.tif 000005
【図５】
0003732624.tif 000006
【図６】
0003732624.tif 000007
【図７】
0003732624.tif 000008
【図８】
0003732624.tif 000009
【図９】
0003732624.tif 000010
【図１０】
0003732624.tif 000011
【図１１】
0003732624.tif 000012
【図１２】
0003732624.tif 000013
【図１３】
0003732624.tif 000014
【図１４】
0003732624.tif 000015